(57)【要約】【課題】狭い隙間等の奥の方や家庭内の溝を掃除でき、かつ使用後は分解して掃除機本体にコンパクトに収納できる使用性の高い電気掃除機用吸込具及びそれを用いた電気掃除機を提供することを目的とする。【解決手段】複数の吸込部材６と前記複数の吸込部材６を側面および／または前面に着脱自在かつ嵌合保持可能な保持部１２からなり、前記保持部１２が前記複数の吸込部材６を嵌合保持した状態で、前記複数の吸込部材６から被掃除面の塵埃を吸引可能な電気掃除機吸込具で、狭い隙間等の奥の方や家庭内の溝を掃除でき、かつ使用後は分解して掃除機本体にコンパクトに収納できる使用性の高い電気掃除機用吸込具を提供できる。【選択図】　図６
2004024459.tif 000002
【特許請求の範囲】
【請求項１】
複数の吸込部材と前記複数の吸込部材を側面および／または前面に着脱自在かつ嵌合保持可能な保持部からなり、前記保持部が前記複数の吸込部材を嵌合保持した状態で、前記複数の吸込部材から被掃除面の塵埃を吸引可能な電気掃除機吸込具。
【請求項２】
互いに束ねた複数の吸込部材だけを、吸引風を発する電動送風機を内蔵した掃除機本体に接続されたホースの先端あるいは前記ホースの他端に接続された延長管に挿入保持した状態で、前記複数の吸込部材から被掃除面の塵埃を吸引可能な請求項１記載の電気掃除機吸込具。
【請求項３】
保持部の側面に凹状の溝を複数設け、前記溝に複数の吸込部材を挿入することで、前記着脱自在かつ嵌合保持できる請求項１または２記載の電気掃除機吸込具。
【請求項４】
保持部の側面に突起部を有する凹状の溝を複数設けるとともに、複数の吸込部材の側面にも凹状の溝を複数設け、前記吸込部材の凹状の溝に前記保持部の突起部を挿入することによって、前記吸込部材と前記保持部を着脱自在に嵌合保持できる請求項３記載の電気掃除機吸込具。
【請求項５】
保持部の略中央部に貫通する吸込口を有し、複数の吸込部材の少なくとも１本以上が、前記吸込口に嵌まり込み嵌合保持できる請求項１〜４のいずれか１項に記載の電気掃除機吸込具。
【請求項６】
保持部を貫通する吸込口の吸引側に、突出させた吸込部材を設けた請求項５記載の電気掃除機吸込具。
【請求項７】
複数の吸込部材は互いに連結接続できる請求項１〜６のいずれか１項に記載の電気掃除機吸込具。
【請求項８】
複数の吸込部材の少なくとも１本以上の吸引側に毛ブラシを備えた請求項１〜７のいずれか１項に記載の電気掃除機吸込具。
【請求項９】
上記請求項１〜８のいずれか１項に記載の電気掃除機吸込具が、掃除機本体に内蔵された吸引風を発する電動送風機に連通可能な電気掃除機。
【発明の詳細な説明】
【０００１】
【発明の属する技術分野】
本発明は、一般家庭で使用する電気掃除機用吸込具に関するものである。
【０００２】
【従来の技術】
従来の電気掃除機用吸込具は図１３に示す様に、一端に吸込口１を、他端に接続口２を有し、家具間の狭い隙間等の奥の方まで掃除するために、接続口２に比して吸込口１が細く絞られ、全長が一般より長い隙間用吸込具３や、図１４に示す様に、一端に大きく開口した吸込口１を、他端に接続口２を有し、家具の段差部、電気製品の格子部、アルミサッシの溝や隅部、等々凹凸な所を掃除するために、吸込口２側の端部にはブラシ４が取り付けられている溝用吸込具５がある。
【０００３】
【発明が解決しようとする課題】
ところが、隙間用吸込具３や溝用吸込具５を本体に収納できる様にした場合、掃除機本体は収納スペースを確保する分、大型になってしまい外観及び使用性を損なうといった問題があった。また、本体に収納できない様にすると、紛失してしまい易いといった問題があった。
【０００４】
本発明は上記課題を解決するもので、狭い隙間等の奥の方や家庭内の溝を掃除でき、かつ使用後は分解して掃除機本体にコンパクトに収納できる使用性の高い電気掃除機用吸込具及びそれを用いた電気掃除機を提供することを目的とする。
【０００５】
【課題を解決するための手段】
上記目的を達成するために本発明は、複数の吸込部材と前記複数の吸込部材を側面および／または前面に着脱自在かつ嵌合保持可能な保持部からなり、前記保持部が前記複数の吸込部材を嵌合保持した状態で、前記複数の吸込部材から被掃除面の塵埃を吸引可能な電気掃除機吸込具で、狭い隙間等の奥の方や家庭内の溝を掃除でき、かつ使用後は分解して掃除機本体にコンパクトに収納できる使用性の高い電気掃除機用吸込具を提供できる。
【０００６】
【発明の実施の形態】
本発明の請求項１記載の発明は、複数の吸込部材と前記複数の吸込部材を側面および／または前面に着脱自在かつ嵌合保持可能な保持部からなり、前記保持部が前記複数の吸込部材を嵌合保持した状態で、前記複数の吸込部材から被掃除面の塵埃を吸引可能な電気掃除機吸込具で、狭い隙間等の奥の方や家庭内の溝を掃除でき、かつ使用後は分解して掃除機本体にコンパクトに収納できる使用性の高い電気掃除機用吸込具を提供できる。
【０００７】
本発明の請求項２記載の発明は、互いに束ねた複数の吸込部材だけを、吸引風を発する電動送風機を内蔵した掃除機本体に接続されたホースの先端あるいは前記ホースの他端に接続された延長管に挿入保持した状態で、前記複数の吸込部材から被掃除面の塵埃を吸引可能なもので、大きな手間をかけることなく、狭い隙間等の奥の方や家庭内の溝を掃除でき、掃除機本体にコンパクトに収納できる使用性の高い電気掃除機用吸込具を提供できる。
【０００８】
本発明の請求項３記載の発明は、保持部の側面に凹状の溝を複数設け、前記溝に複数の吸込部材を挿入することで、前記着脱自在かつ嵌合保持できるもので、保持部と複数の吸込部材の嵌合が確実にできるとともに、狭い隙間等の奥の方や家庭内の溝を掃除でき、かつ使用後は分解して掃除機本体にコンパクトに収納できる使用性の高い電気掃除機用吸込具を提供できる。
【０００９】
本発明の請求項４記載の発明は、保持部の側面に突起部を有する凹状の溝を複数設けるとともに、複数の吸込部材の側面にも凹状の溝を複数設け、前記吸込部材の凹状の溝に前記保持部の突起部を挿入することによって、前記吸込部材と前記保持部を着脱自在に嵌合保持できるもので、保持部と複数の吸込部材の嵌合が確実にできるとともに、狭い隙間等の奥の方や家庭内の溝を掃除でき、かつ使用後は分解して掃除機本体にコンパクトに収納できる使用性の高い電気掃除機用吸込具を提供できる。
【００１０】
本発明の請求項５記載の発明は、保持部の略中央部に貫通する吸込口を有し、複数の吸込部材の少なくとも１本以上が、前記吸込口に嵌まり込み嵌合保持できるもので、複数の吸込部材の組み合わせで吸込具の形状を変えることができ、狭い隙間等の奥の方まで掃除できる長い吸込具から広い範囲を掃除できる吸込具を兼ね備え、かつ使用後は分解して掃除機本体にコンパクトに収納できる使用性の高い電気掃除機用吸込具を提供できる。
【００１１】
本発明の請求項６記載の発明は、保持部を貫通する吸込口の吸引側に、突出させた吸込部材を設けたもので、複数の吸込部材の組み合わせで吸込具の形状を変えることができ、狭い隙間等の奥の方まで掃除できる長い吸込具から広い範囲を掃除できる吸込具を兼ね備え、かつ使用後は分解して掃除機本体にコンパクトに収納できる使用性の高い電気掃除機用吸込具を提供できる。
【００１２】
本発明の請求項７記載の発明は、複数の吸込部材の組み合わせで吸込具の形状を変えることができ、狭い隙間等の奥の方まで掃除できる長い吸込具から広い範囲を掃除できる吸込具を兼ね備え、かつ掃除機本体にコンパクトに収納でき、外観を損なわず、使い勝手を良くすることができる。
【００１３】
本発明の請求項８記載の発明は、複数の吸込部材の少なくとも１本以上の吸引側に毛ブラシを備えたもので、狭い隙間等の奥の方まで掃除できる長い吸込具から広い範囲を掃除できる吸込具を兼ね備え、かつ家具の段差部、電気製品の格子部、アルミサッシの溝や隅部、等々凹凸な所にある細かな塵埃をブラシにて掻き出して掃除することができる。
【００１４】
本発明の請求項９記載の発明は、上記請求項１〜８のいずれか１項に記載の電気掃除機吸込具が、掃除機本体に内蔵された吸引風を発する電動送風機に連通可能な電気掃除機で、狭い隙間等の奥の方や家庭内の溝を掃除でき、かつ使用後は分解して掃除機本体にコンパクトに収納できる使用性の高い電気掃除機用吸込具及びそれを用いた電気掃除機を提供できる。
【００１５】
【実施例】
（実施例１）
以下、本発明の第１の実施例を、図を用いて説明する。
【００１６】
図１〜図３において、６は中空のパイプである吸込部材であり、互いに連結接続でき、かつ束ねることによって、掃除機本体１１に接続され、かつ前記掃除機本体１１に内蔵された吸引風を発する電動送風機（図示せず）に連通するホースの先端７或いは、前記ホースの他端に接続された延長管の先端（図示せず）に嵌まり込み、嵌合保持できる形状で構成されており、吸込部材６の組み合わせで吸込具の形状を変えることができ、狭い隙間等の奥の方まで掃除できる長い吸込具８から広い範囲を掃除できる吸込具９を兼ね備えることができる。
【００１７】
さらに複数の吸込部材６の内、一本以上の吸引側の端部に毛ブラシ１０を備えことにより家具の段差部、電気製品の格子部、アルミサッシの溝や隅部、等々凹凸な所にある細かな塵埃を毛ブラシ１０にて掻き出して掃除することができる。
【００１８】
また、掃除機本体１１に、前記吸込部材６を個々にコンパクトに収納でき、外観を損なわず、使い勝手を良くすることができる。
【００１９】
（実施例２）
次に本発明の第２の実施例を図４〜図１２を用いて説明する。なお、上記第１の実施例と同一構成部品については、同一符号を付して、その説明を省略する。
【００２０】
図４〜図９において、１２は保持部であり、全周に凹状の溝１３を複数設け、一端に吸込口１４を有し、ホースの先端７或いは延長管の先端（図示せず）には前記保持部１２の外径が前記ホースの先端７或いは延長管の先端の内径に嵌合保持できる寸法となっている。また、複数の吸込部材６は互いに連結接続でき、かつ保持部１２の吸込口１４及び凹状の溝１３に嵌合保持でき、吸込部材６の組み合わせで吸込具の形状を変えることができ、狭い隙間等の奥の方まで掃除できる長い吸込具１６から広い範囲を掃除できる吸込具１７を兼ね備えることができる。吸込口１４は吸引側に、突出させた吸込部材形状としたことで、より奥深い隙間等が掃除しやすくなる。
【００２１】
さらに複数の吸込部材６の内、一本以上の端部に毛ブラシ１０を備えことにより家具の段差部、電気製品の格子部、アルミサッシの溝や隅部、等々凹凸な所にある細かな塵埃を毛ブラシ１０にて掻き出して掃除することができる。そしてさらに掃除機本体１１にコンパクトに収納でき、外観を損なわず、使い勝手を良くすることができる。
【００２２】
また、図１０〜図１２に示すように、保持部１２の全周に凹状の溝１３及び溝１３の中央付近に爪状突起部２１を複数設け、一端に吸込口１２を有したと爪状突起部２１に係合する凹状の溝２２を有した複数の吸込部材６で構成され、複数の吸込部材６は互いに連結接続でき、かつ保持部１２の吸込口２４及び凹状の溝１３に嵌合保持できると共に、複数の吸込部材６を凹状の溝２２に保持部１２の爪状突起部２１を挿入し、前記複数の吸込部材６と前記保持部１２を嵌合保持することによって、前記複数の吸込部材６を凹状の溝１３に嵌合保持した状態の外径寸法が、ホースの先端７或いは延長管の先端（図示せず）の内径寸法に嵌まり込む寸法となり、嵌合保持できるようにしたことにより、保持部１２の大きさを小さくすることができ、掃除機本体１１にコンパクトに収納でき、外観を損なわず、使い勝手を良くすることができる。
【００２３】
【発明の効果】
以上本発明によれば、狭い隙間等の奥の方や家庭内の溝を掃除でき、かつ使用後は分解して掃除機本体にコンパクトに収納できる使用性の高い電気掃除機用吸込具及びそれを用いた電気掃除機を提供できる。
【図面の簡単な説明】
【図１】本発明の第１の実施例を示す電気掃除機用吸込具の全体斜視図
【図２】同吸込具の他の全体斜視図
【図３】同吸込具の掃除機本体の全体斜視図
【図４】本発明の第２の実施例を示す電気掃除機用吸込具の保持部の全体斜視図
【図５】同他の保持部の全体斜視図
【図６】同吸込具の全体斜視図
【図７】同吸込具をホースの先端に挿入する全体斜視図
【図８】同他の吸込具の全体斜視図
【図９】同他の吸込具をホースの先端に挿入する全体斜視図
【図１０】同他の保持部の全体斜視図
【図１１】同保持部と吸込部材の全体斜視図
【図１２】同他の保持部と吸込部材の全体斜視図
【図１３】従来例の電気掃除機用吸込具の斜視図
【図１４】同他の電気掃除機用吸込具の斜視図
【符号の説明】
６　吸込部材
１１　掃除機本体
１２　保持部
【図１】
2004024459.tif 000003
【図２】
2004024459.tif 000004
【図３】
2004024459.tif 000005
【図４】
2004024459.tif 000006
【図５】
2004024459.tif 000007
【図６】
2004024459.tif 000008
【図７】
2004024459.tif 000009
【図８】
2004024459.tif 000010
【図９】
2004024459.tif 000011
【図１０】
2004024459.tif 000012
【図１１】
2004024459.tif 000013
【図１２】
2004024459.tif 000014
【図１３】
2004024459.tif 000015
【図１４】
2004024459.tif 000016